【手続補正書】
【提出日】平成18年7月20日(2006.7.20)
【手続補正１】
【補正対象書類名】明細書
【補正対象項目名】特許請求の範囲
【補正方法】変更
【補正の内容】
【特許請求の範囲】
【請求項１】  スタッフィングボックス用パッキンであって、
少なくとも１つの中央リングと、
軸方向の圧縮力が上記パッキンに加えられたとき応答し、上記少なくとも１つの中央リングの第１の端部の１つの半径方向縁部に隣接する材料を強制的に軸方向および半径方向において上記少なくとも１つの中央リングから遠ざかる方向に移動させ、さらに上記材料を不浸透性でかつ効果的な密封状態に圧縮するエンドリングとから成るスタッフィングボックス用パッキンにおいて、上記エンドリングは、
少なくとも約１．８ｇ／ｃｃの密度を有する編組グラファイトテープ基部と、
上記編組グラファイトテープ基部全体にわたって作用可能に分散されたインサートとから成ることを特徴とするスタッフィングボックス用パッキン。
【請求項２】  請求項１のパッキンにおいて、上記エンドリングの第１の端部が内径シールを形成し、この内径シールにおいて、その鋭角が軸方向内方に形成され、かつ上記少なくとも１つの中央リングおよびエンドリング対向表面の鋭角がそれぞれ約４５°および６０°であることを特徴とするパッキン。
【請求項３】  請求項１のパッキンにおいて、上記エンドリングが高い耐押出し性および耐摩耗性を有していることを特徴とするパッキン。
【請求項４】  請求項１のパッキンにおいて、上記エンドリングが上記少なくとも１つの中央リングを支持し、かつバルブステムを拭き取ることを特徴とするパッキン。
【請求項５】  請求項１のパッキンにおいて、上記少なくとも１つの中央リングが、
２つのエンドリングの間に作用可能に配置された角度付き対向表面を有する３つの低密度グラファイトプレフォームリングから成ることを特徴とするパッキン。
【請求項６】  請求項１のパッキンにおいて、上記少なくとも１つの中央リングが、
少なくとも２つの低密度グラファイトプレフォームリングと、
両リング間に作用可能に配置された少なくとも１つの追加リングとから成り、上記少なくとも１つの追加リングが、
少なくとも約１．８ｇ／ｃｃの密度を有する編組グラファイトテープ基部と、
２つのエンドリングの間に作用可能に配置された角度付き対向表面を有する上記編組グラファイトテープ基部全体にわたって作用可能に分散されたインサートとから成ることを特徴とするパッキン。
【請求項７】  請求項１のパッキンにおいて、上記少なくとも１つの中央リングが、
２つのエンドリングの間に作用可能に配置された角度付き対向表面を有する少なくとも３つの低密度グラファイトプレフォームリングと、
隣接する低密度プレフォームリングの間に作用可能に配置された少なくとも１つの追加リングとから成り、上記少なくとも１つの追加リングが、
少なくとも約１．８ｇ／ｃｃの密度を有する編組グラファイトテープ基部と、
２つのエンドリングの間に作用可能に配置された角度付き対向表面を有する上記編組グラファイトテープ基部全体にわたって作用可能に分散されたインサートとから成ることを特徴とするパッキン。
【請求項８】  請求項１のパッキンにおいて、上記少なくとも１つの中央リングが、
２つの追加リングの間に作用可能に配置された角度付き対向表面を有する１つの低密度グラファイトプレフォームリングから成り、上記追加リングが２つのエンドリングの間に作用可能に配置されており、上記追加リングが、
少なくとも約１．８ｇ／ｃｃの密度を有する編組グラファイトテープ基部と、
２つのエンドリングの間に作用可能に配置された角度付き対向表面を有する上記編組グラファイトテープ基部全体にわたって作用可能に分散されたインサートとから成ることを特徴とするパッキン。
【請求項９】  請求項１のパッキンにおいて、上記少なくとも１つの中央リングが、
少なくとも３つのリングから成り、それらリングの各々が、
少なくとも約１．８ｇ／ｃｃの密度を有する編組グラファイトテープ基部と、
２つのエンドリングの間に作用可能に配置された角度付き対向表面を有する上記編組グラファイトテープ基部全体にわたって作用可能に分散されたインサートとから成ることを特徴とするパッキン。
【請求項１０】  請求項１のパッキンにおいて、上記編組グラファイトテープ基部における上記インサートが、
支持スペーサおよびワイパ機能を果たすことのできる金属の細片、ワイヤ、線条、薄葉であることを特徴とするパッキン。
【請求項１１】  請求項１０のパッキンにおいて、上記金属が、
スチール、銅、真鍮、アルミニウム、および亜鉛
から成るグループから選ばれたことを特徴とするパッキン。
【請求項１２】  請求項１のパッキンにおいて、上記エンドリングが、
ニッケルクロム合金ステンレス鋼を用いて金属インサートされた形状適合可能な編組基部を備えていることを特徴とするパッキン。
【請求項１３】  請求項１のパッキンにおいて、上記インサートが上記エンドリングを実質的にいかなる所望の形状にも適合させ堅固に保持させることを特徴とするパッキン。
【請求項１４】  請求項１のパッキンにおいて、各エンドリングが、約７５０ｐｓｉ〜約３８，０００ｐｓｉの範囲内の圧縮荷重値で型成形されることを特徴とするパッキン。
【請求項１５】  少なくとも２つの低密度中央リングと、
両リング間に作用可能に配置された少なくとも１つの追加リングとから成るスタッフィングボックス用パッキンにおいて、上記少なくとも１つの追加リングが、
少なくとも約１．８ｇ／ｃｃの密度を有する編組グラファイトテープ基部と、
角度付き対向表面を有する上記編組グラファイトテープ基部全体にわたって作用可能に分散されたインサートと、
軸方向の圧縮力が上記パッキンに加えられたとき応答し、上記少なくとも２つの低密度中央リングのうちの１つの第１の端部の１つの半径方向縁部に隣接する材料を強制的に軸方向および半径方向において上記少なくとも２つの中央リングのうちの１つから遠ざかる方向に移動させ、さらに上記材料を不浸透性でかつ効果的な密封状態に圧縮するエンドリングとから成るスタッフィングボックス用パッキンにおいて、上記エンドリングは、
少なくとも約１．８ｇ／ｃｃの密度を有する編組グラファイトテープ基部と、
上記編組グラファイトテープ基部全体にわたって作用可能に分散されたインサートとから成ることを特徴とするスタッフィングボックス用パッキン。
【請求項１６】  請求項１５のパッキンにおいて、上記エンドリングの第１の端部が内径シールを形成し、この内径シールにおいて、その鋭角が軸方向内方に向かい、かつ上記少なくとも１つの中央リングおよびエンドリング対向表面の鋭角がそれぞれ約４５°および６０°であることを特徴とするパッキン。
【請求項１７】  請求項１５のパッキンにおいて、上記エンドリングが高い耐押出し性および耐摩耗性を有していることを特徴とするパッキン。
【請求項１８】  請求項１５のパッキンにおいて、上記エンドリングが上記少なくとも１つの中央リングを支持し、かつバルブステムを拭き取ることを特徴とするパッキン。
【請求項１９】  請求項１５のパッキンにおいて、上記編組グラファイトテープ基部における上記インサートが、
支持スペーサおよびワイパ機能を果たすことのできる金属の細片、ワイヤ、線条、薄葉であることを特徴とするパッキン。
【請求項２０】  請求項１５のパッキンにおいて、上記エンドリングが、
ニッケルクロム合金ステンレス鋼を用いて金属インサートされた形状適合可能な編組基部を備えていることを特徴とするパッキン。
【請求項２１】  ２つのエンドリングの間に作用可能に配置された角度付き対向表面を有する少なくとも３つの低密度グラファイトプレフォームリングと、
隣接する低密度プレフォームリングの間に作用可能に配置された少なくとも１つの追加リングとから成るスタッフィングボックス用パッキンにおいて、上記少なくとも１つの追加リングが、
少なくとも約１．８ｇ／ｃｃの密度を有する編組グラファイトテープ基部と、
角度付き対向表面を有する上記編組グラファイトテープ基部全体にわたって作用可能に分散されたインサートと、
軸方向の圧縮力が上記パッキンに加えられたとき応答し、上記少なくとも３つの低密度中央リングのうちの１つの第１の端部の１つの半径方向縁部に隣接する材料を強制的に軸方向および半径方向において上記少なくとも３つの中央リングのうちの１つから遠ざかる方向に移動させ、さらに上記材料を不浸透性でかつ効果的な密封状態に圧縮するエンドリングとから成るスタッフィングボックス用パッキンにおいて、上記エンドリングは、
少なくとも約１．８ｇ／ｃｃの密度を有する編組グラファイトテープ基部と、
上記編組グラファイトテープ基部全体にわたって作用可能に分散されたインサートとから成ることを特徴とするスタッフィングボックス用パッキン。
【請求項２２】  請求項２１のパッキンにおいて、上記エンドリングの第１の端部が内径シールを形成し、この内径シールにおいて、その鋭角が軸方向内方に向かい、かつ上記少なくとも１つの中央リングおよびエンドリング対向表面の鋭角がそれぞれ約４５°および６０°であることを特徴とするパッキン。
【請求項２３】  請求項２１のパッキンにおいて、上記エンドリングが高い耐押出し性および耐摩耗性を有していることを特徴とするパッキン。
【請求項２４】  請求項２１のパッキンにおいて、上記エンドリングが上記少なくとも１つの中央リングを支持し、かつバルブステムを拭き取ることを特徴とするパッキン。
【請求項２５】  請求項２１のパッキンにおいて、上記編組グラファイトテープ基部における上記インサートが、
支持スペーサおよびワイパ機能を果たすことのできる金属の細片、ワイヤ、線条、薄葉であることを特徴とするパッキン。
【請求項２６】  請求項２１のパッキンにおいて、上記エンドリングが、
ニッケルクロム合金ステンレス鋼を用いて金属インサートされた形状適合可能な編組基部を備えていることを特徴とするパッキン。
【請求項２７】  請求項２１のパッキンにおいて、各エンドリングが、約７５０ｐｓｉ〜約３８，０００ｐｓｉの範囲内の圧縮荷重値で型成形されることを特徴とするパッキン。
【請求項２８】  中央リングアセンブリを備えたスタッフィングボックス用パッキンにおいて、上記中央リングアセンブリは、
角度付き対向表面を有する１つの低密度グラファイトプレフォームリングと、
２つのプレフォーム支持リングとから成り、上記低密度グラファイトプレフォームリングは、上記２つのプレフォーム支持リングの間に作用可能に配置されており、上記２つのプレフォーム支持リングは、
少なくとも約１．８ｇ／ｃｃの密度を有する編組グラファイトテープ基部と、
上記編組グラファイトテープ基部全体にわたって作用可能に分散されたインサートと、
軸方向の圧縮力が上記パッキンに加えられたとき応答し、上記材料を不浸透性でかつ効果的な密封状態に圧縮するエンドリングとから成り、上記エンドリングは、
少なくとも約１．８ｇ／ｃｃの密度を有する編組グラファイトテープ基部と、
上記編組グラファイトテープ基部全体にわたって作用可能に分散されたインサートとから成ることを特徴とするスタッフィングボックス用パッキン。
【請求項２９】  請求項２８のパッキンにおいて、各エンドリングが、約７５０ｐｓｉ〜約３８，０００ｐｓｉの範囲内の圧縮荷重値で型成形されることを特徴とするパッキン。
【請求項３０】  少なくとも３つの中央プレフォームリング備えたスタッフィングボックス用パッキンにおいて、上記少なくとも３つの中央プレフォームは、
角度付き対向表面を有し、かつ少なくとも約１．８ｇ／ｃｃの密度を有する編組グラファイトテープ基部と、
上記編組グラファイトテープ基部全体にわたって作用可能に分散されたインサートと、
軸方向の圧縮力が上記パッキンに加えられたとき応答し、上記低密度中央リングのうちの１つの第１の端部の１つの半径方向縁部に隣接する材料を強制的に軸方向および半径方向において上記少なくとも３つの中央リングのうちの１つから遠ざかる方向に移動させ、さらに上記材料を不浸透性でかつ効果的な密封状態に圧縮する少なくとも２つのエンドリングとから成り、上記少なくとも２つのエンドリングは、
少なくとも約１．８ｇ／ｃｃの密度を有する編組グラファイトテープ基部と、
上記編組グラファイトテープ基部全体にわたって作用可能に分散されたインサートとから成ることを特徴とするスタッフィングボックス用パッキン。